(57)【要約】【課題】ワイアレス装置のための対話型スクリーンのサーバ処理。【解決手段】ワイアレス装置が、ワイアレス・ネットワーク上のネットワーク・サーバに接続し、ソフトウェア・アプリケーション及びデータをアクセスしようとする若しくはダウンロードしようとする場合に、ワイアレス装置のグラフィック画面上に、エンド−ユーザ免許合意書若しくは確認フォームのような、対話型スクリーンを表示するためのシステム及び方法。ワイアレス装置のユーザは、それから、ネットワーク・サーバからソフトウェア・アプリケーション若しくはデータをアクセスする若しくはダウンロードするために、対話型スクリーンと肯定的に対話しなければならない。対話型スクリーンは、ワイアレス装置がアプリケーション若しくはデータをアクセス若しくはダウンロードしようとしているネットワーク・サーバから送信されることができる、若しくは独立したサーバからワイアレス装置へ送信されることができる。ワイアレス装置−サーバ対話のレコードは、ネットワーク・サーバ上に若しくはワイアレス・ネットワークの他のデータ記憶装置上に記憶されることができる。
2005539297.tif 000002
【特許請求の範囲】
【請求項１】
ワイアレス装置へデータをダウンロードするためにワイアレス・ネットワークを渡って送られた要求を受信すること；及び
ワイアレス装置に対して予定されたデータを送信することに先立って、ワイアレス装置に対して予定された対話型スクリーンを送信すること、
を具備する、ワイアレス装置のための対話型スクリーンを処理するための方法。
【請求項２】
ワイアレス装置と対話型スクリーンの対話を指示している信号を受信すること；及び
ワイアレス装置によって要求されたダウンロードされたデータを送信すること、
をさらに具備する、請求項１の方法。
【請求項３】
ワイアレス・ネットワークを渡って送信された要求を受信することは、第１のネットワーク・サーバによって受信される、請求項２の方法。
【請求項４】
対話型スクリーンを送信することは、第２のネットワーク・サーバにより実行される、請求項３の方法。
【請求項５】
ワイアレス装置の対話を指示している信号が第２のネットワーク・サーバにより受信されると、ここで、第２のネットワーク・サーバが第１のネットワーク・サーバへ対話を指示している信号を送ると、第１のネットワーク・サーバはワイアレス装置により要求されたダウンロードされたデータを送信する、請求項４の方法。
【請求項６】
ワイアレス・ネットワークと選択的に通信し、第２のネットワーク・サーバと選択的に通信する第１のネットワーク・サーバ；及び
ワイアレス・ネットワークと選択的に通信し、第１のネットワーク・サーバと選択的に通信する第２のネットワーク・サーバ、
ここで、第１のネットワーク・サーバは、ワイアレス装置からダウンロード・データに関する要求を受信し、第２のネットワーク・サーバへ要求を通信する、及び第２のネットワーク・サーバは、ワイアレス装置に対して予定されたワイアレス・ネットワークへ対話型スクリーンを送信する、
を具備する、第１のネットワーク・サーバ及び第２のネットワーク・サーバを用いてワイアレス装置のための対話型スクリーンを処理するためのシステム。
【請求項７】
第２のネットワーク・サーバからワイアレス装置と対話を指示している信号を受信すると、第１のネットワーク・サーバは、ワイアレス装置に対して予定されたワイアレス・ネットワークへデータを送信する、請求項６のシステム。
【請求項８】
コンピュータ・プラットフォームを含むユーザ対話型ワイアレス装置のグラフィック画面上の対話型スクリーンを処理するための方法であって、ワイアレス装置はネットワーク・サーバと選択的に通信し、そこからアプリケーション及びデータをダウンロードする、その方法は、下記を具備する：
ワイアレス・ネットワークを渡ってネットワーク・サーバからワイアレス装置へデータを送信することを試みること；及び
ワイアレス装置へ要求されたデータをダウンロードすることに先立って、ワイアレス・ネットワークを渡ってワイアレス装置のコンピュータ・プラットフォームへ対話型スクリーンを送信すること。
【請求項９】
ワイアレス・ネットワークを渡ってネットワーク・サーバからワイアレス装置へデータを送信することを試みることは、ワイアレス・ネットワークを渡ってネットワーク・サーバからワイアレス装置へソフトウェア・アプリケーションをダウンロードすることを試みることを含む、請求項８の方法。
【請求項１０】
ワイアレス・ネットワークを渡ってワイアレス装置へ対話型スクリーンを送信することは、ワイアレス・ネットワークを渡ってワイアレス装置へネットワーク・サーバから対話型スクリーンを送信することを含む、請求項８の方法。
【請求項１１】
請求項８の方法であって、対話型スクリーンは、ワイアレス装置においてデータのユーザ入力を可能にし、
ネットワーク・サーバにおいてワイアレス装置から入力されたデータを受信すること；
ネットワーク・サーバにおいて入力データを処理すること；及び
ワイアレス装置のコンピュータ・プラットフォームに対して予定されたネットワーク・サーバから要求されたデータを選択的に送信すること、
をさらに具備する。
【請求項１２】
ワイアレス・ネットワークを渡ってネットワーク・サーバからワイアレス装置へデータを送信することを試みることは、ワイアレス・ネットワークを渡って第１のネットワーク・サーバからワイアレス装置に対して予定されたデータを送信することを試みることを含む、及びワイアレス・ネットワークを渡ってワイアレス装置に対して予定された対話型スクリーンを送信することは、ワイアレス・ネットワークを渡って第２のネットワーク・サーバからワイアレス装置に対して予定された対話型スクリーンを送信することを含む、請求項８の方法。
【請求項１３】
第２のネットワーク・サーバへワイアレス装置から対話を指示している信号を受信すること；
第１のネットワーク・サーバへ第２のネットワーク・サーバからワイアレス装置において対話を指示している信号を送ること；及び
ワイアレス装置に対して予定されたワイアレス・ネットワークへ第１のネットワーク・サーバから要求されたデータを送信すること、
をさらに具備する、請求項１２の方法。
【請求項１４】
ワイアレス・ネットワークを渡ってネットワーク・サーバからワイアレス装置へデータを送信することを試みるための手段；及び
ワイアレス装置へ要求されたデータをダウンロードすることに先立って、ワイアレス・ネットワークを渡ってワイアレス装置のコンピュータ・プラットフォームへ対話型スクリーンを送信するための手段、
を具備する、対話型スクリーンを処理するためのシステム。
【請求項１５】
実行された場合に、対話型スクリーンを処理するためのコンピュータ読み取り可能な命令を含んでいるコンピュータ読み取り可能な媒体は、下記の方法を実行する：
ワイアレス・ネットワークを渡ってネットワーク・サーバからワイアレス装置へデータを送信することを試みること；及び
ワイアレス装置へ要求されたデータをダウンロードすることに先立って、ワイアレス・ネットワークを渡ってワイアレス装置のコンピュータ・プラットフォームへ対話型スクリーンを送信すること。
【発明の詳細な説明】
【技術分野】
【０００１】
本発明は、ワイアレス・ネットワーク及びワイアレス・ネットワークを渡るコンピュータ通信に係る。特に、本発明は、ワイアレス装置が１若しくはそれより多くのサーバからソフトウェア・アプリケーション若しくはデータをアクセスすること若しくはダウンロードすることを試みる場合に、ワイアレス装置上に表示のために１若しくはそれより多くのサーバによる対話型スクリーンの処理に関する。
【背景技術】
【０００２】
セルラ電話機のような、ワイアレス装置は、ワイアレス・ネットワークを介して音声及びデータを含んでいるパケットを通信する。セルラ電話機それ自身は、増強された計算能力を持つように製造されてきており、パーソナル・コンピュータ及び手持ち型のパーソナル・ディジタル・アシスタンツ（personal digital assistants）（“ＰＤＡｓ”）と同等になってきている。選択セルラ電話機のような、ある種のワイアレス装置は、インストールされたアプリケーション・プログラミング・コンピュータ・プラットフォームを有する可能性がある。アプリケーション・プログラミング・コンピュータ・プラットフォームは、ソフトウェア・デベロッパがワイアレス装置上で動作するソフトウェア・アプリケーションを考案することを可能にする。
【０００３】
インターネット及び他の開放ネットワーク上で、ユーザにアプリケーションをダウンロードさせることに先立って、ユーザが、ソフトウェア・アプリケーション若しくはデータ、例えば、エンド−ユーザ免許合意書（end-user license agreement）（ＥＵＬＡ）、リリース（release）、若しくは年令に関する確認フォーム、位置若しくは非商業的ステータス、をダウンロードしようとする若しくはアクセスしようとする場合に、コンピュータのユーザに対話型フォームを提供することが、知られている。ユーザは、その後、アプリケーション・ダウンロード・サーバに確認信号を送り返すフォームと対話しなければならない。そして、その後、ユーザは、ダウンロードすることを希望したアプリケーションへのアクセスを与えられる。しかしながら、インターネット及び大部分のＬＡＮ若しくはＷＡＮネットワークは、有線に基づいている若しくはそれ以外は、費用のかからないデータ接続性を有する、その結果、バンド幅は、ブラウズしているコンピュータとアプリケーション・ダウンロード・サーバとの間の対話性を提供することを容易に利用可能にする。そのようにして、エンド−ユーザ免許合意書若しくは他の認証フォームの送信、及び確認データの返信は、顕著なネットワーク・リソースを取らない。逆に、セルラ電気通信のような、ワイアレス・ネットワーク環境において、データ転送に関する任意のネットワーク接続は、費用がかかり、アプリケーションのダウンロードに先立って、ネットワークをトラバースするユーザ対話型フォームの使用は、従来から禁止されてきている。
【０００４】
したがって、ワイアレス装置に対話型メカニズムを提供することが望まれる。これによって、ワイアレス装置のユーザは、ネットワークを介してデータをアクセスする前に対話しなければならない。そのようなメカニズムは、限られたバンド幅及びワイアレス・ネットワークに関連する他の特性を考慮する必要がある。
【発明の開示】
【０００５】
［サマリー］
本発明の１実施形態では、ワイアレス装置のための対話型スクリーンを処理するための方法は、ワイアレス装置へデータをダウンロードするためにワイアレス・ネットワークを渡って送られた要求を受信すること、及びワイアレス装置に対して予定されたデータを送信することに先立って、ワイアレス装置に対して予定された対話型スクリーンを送信することを具備する。方法は、ワイアレス装置の対話を指示している信号及び対話型スクリーンを受信すること、及びワイアレス装置によって要求されたダウンロードされたデータを送信すること、をさらに具備する。しかも、ワイアレス・ネットワークを渡って送信された要求を受信することは、第１のネットワーク・サーバによって受信されることがあり、対話型スクリーンを送信することは、第２のネットワーク・サーバにより実行されることがある。これも、ワイアレス装置の対話を指示している信号が第２のネットワーク・サーバにより受信されると、ここで、第１のネットワーク・サーバへ第２のネットワーク・サーバが対話を指示している信号を送ると、第１のネットワーク・サーバはワイアレス装置により要求されたダウンロードされたデータを送信することがある。
【０００６】
本発明の他の実施形態では、第１のネットワーク・サーバ及び第２のネットワーク・サーバを用いてワイアレス装置のための対話型スクリーンを処理するためのシステムは、ワイアレス・ネットワークと選択的に通信し、第２のネットワーク・サーバと選択的に通信する第１のネットワーク・サーバ、及びワイアレス・ネットワークと選択的に通信し、第１のネットワーク・サーバと選択的に通信する第２のネットワーク・サーバ、ここで、第１のネットワーク・サーバは、ワイアレス装置からダウンロード・データに関する要求を受信し、第２のネットワーク・サーバへ要求を通信する、及び第２のネットワーク・サーバは、ワイアレス装置に対して予定されたワイアレス・ネットワークへ対話型スクリーンを送信する、を具備する。
【０００７】
本発明のさらに他の実施形態では、コンピュータ・プラットフォームを含むユーザ対話型ワイアレス装置のグラフィック画面上の対話型スクリーンを処理するための方法、ワイアレス装置はネットワーク・サーバと選択的に通信し、そこからアプリケーション及びデータをダウンロードする、その方法は、ワイアレス・ネットワークを渡ってネットワーク・サーバからワイアレス装置へデータを送信することを試みること、及びワイアレス装置へ要求されたデータをダウンロードすることに先立って、ワイアレス・ネットワークを渡ってワイアレス装置のコンピュータ・プラットフォームへ対話型スクリーンを送信すること、を具備する。
【０００８】
本発明の目的、利点、及び特徴は、以下に述べられる図面の簡単な説明及び発明の詳細な説明、並びに特許請求の範囲を概観した後で明らかになるであろう。
【発明を実施するための最良の形態】
【０００９】
システム及び方法は、ワイアレス装置へソフトウェア・アプリケーションをダウンロードすることを提供することが、期待されている。ソフトウェア・アプリケーションは、ワイアレス装置が製造された時点でプリロードされて入手できる、若しくは、ユーザは、追加のプログラムがワイアレス装置上で実行可能である場合に、追加のプログラムがセルラ電気通信キャリア・ネットワークを介してダウンロードされることを後で要求することがある。その結果、ワイアレス装置のユーザは、例えば、ゲーム、プリントされた媒体（printed media）、株式最新情報（stock updates）、ニュース、若しくはワイアレス・ネットワークを経由してアプリケーション・ダウンロード・サーバからダウンロードが可能な任意の他のタイプの情報若しくはプログラムのような、プログラムを用いて自分のワイアレス装置をカスタマイズできる。
【００１０】
あるシナリオでは、ワイアレス装置のユーザが、ワイアレス・ネットワークを使用してソフトウェア・アプリケーションをダウンロードし、使用することを望むのであれば、ユーザは、一般に、サービス・プロバイダに電話する、若しくはインターネット・アクセスを経由してのように、他の手段を経由してサービス・プロバイダにコンタクトする、のいずれかである。そして、サービス・プロバイダは、ワイアレス・ネットワークを渡ってワイアレス装置へアプリケーションを送信する、若しくは、アプリケーションがダウンロード可能である若しくはアクセス可能であるネットワーク・サイトをユーザがアクセスすることを可能にする、のいずれかである。アプリケーション・ダウンロード・サーバに接続するために、ワイアレス装置は、セルラ・ネットワークのように、ワイアレス・ネットワークへの接続をブリッジし、それから、希望するソフトウェア・アプリケーションが常駐するアプリケーション・ダウンロード・サーバへコンタクトすることを試みる。一旦、ワイアレス装置がアプリケーション・ダウンロード・サーバにコンタクトすると、初期接続がなされ、アプリケーション・ダウンロード・サーバは、どのアプリケーションがワイアレス装置に利用可能であるかを決定し、ユーザが利用可能なアプリケーションについて知ることができるように、ワイアレス装置上に表示するためのメニューのような、適切な情報を送る。一旦、アクセスがダウンロード可能なアプリケーションへ与えられると、ワイアレス装置のユーザは、利用可能なアプリケーションのいずれかをダウンロードできる。
【００１１】
本発明は、ワイアレス装置がワイアレス・ネットワークを渡って、アプリケーション・ダウンロード・サーバのような、ネットワーク・サーバ上のデータ若しくはアプリケーションをダウンロードすること若しくはアクセスすることを試みる場合に、ワイアレス装置のグラフィック画面上に対話型スクリーンを提供するためのシステム及び方法を提供する。対話型スクリーンは、ネットワーク・サーバ上の個々のアプリケーション及びデータの限られたアクセスを可能にする。対話型スクリーンは、ワイアレス装置コンピュータ・プラットフォームがナビゲートすることを試みている第１のネットワーク・サーバからワイアレス装置へ送信されることができる、若しくは対話型スクリーンは、ワイアレス・ネットワーク上の第２のサーバからワイアレス装置へ送信されることができる。対話型スクリーンは、グラフィックス、テキスト、マルチメディア・コンポーネント、データ・エントリ・フィールド、若しくはハイパーリンクを含むことができる。その全ては、表示可能であり、ワイアレス装置のグラフィック画面上で対話する、そして、システムは、要求されたアプリケーション若しくはデータをダウンロードする若しくはアクセスするためにエンド−ユーザがスクリーンと適切に対話することを必要とする。
【００１２】
対話型スクリーンの例は、ＥＵＬＡ若しくは確認フォームである。ＥＵＬＡは、ソフトウェア・アプリケーションをダウンロードすることを許可される前に一定の項にエンド−ユーザが同意することを必要とする。確認フォームは、ネットワーク・サーバ上のアプリケーション若しくはデータへ要求されたアクセスを得るためにエンド−ユーザがデータを入力することを必要とする。一旦、ワイアレス装置のユーザが、適切な予め決められた方法でワイアレス装置のグラフィック画面上に表示された対話型スクリーンと対話すると、ワイアレス装置は、第１若しくは第２のネットワーク・サーバへ適切な対話を指示している信号を送る。第１のネットワーク・サーバは、それから、ワイアレス装置のコンピュータ・プラットフォームへ要求されたアプリケーション若しくはデータのアクセス若しくはダウンロードを許可する。第２のネットワーク・サーバが、ワイアレス装置へ対話型スクリーンを提供したときに、第２のネットワーク・サーバも、ワイアレス装置から対話データを受信でき、第１のネットワーク・サーバへ対話データを中継する。これによって、第１のネットワーク・サーバは、それから、ワイアレス装置のコンピュータ・プラットフォームへ要求されたデータのダウンロードを許可する。
【００１３】
それゆえ、アプリケーション・ダウンロード・サーバのような、ネットワーク・サーバ上の特定のアプリケーション及びデータをダウンロード若しくはアクセスしようとしているワイアレス装置のユーザへ表示されることができる対話型スクリーンを提供することが、本発明のシステム及び方法の１つの目的である。対話型スクリーン、ネットワーク・サーバのオペレータ、アクセスを選択的に制御する能力、ワイアレス装置のユーザは、ネットワーク・サーバ常駐アプリケーションでなければならない、そして、アプリケーション及びデータをアクセスすることを許可される前に、ユーザがＥＵＬＡを登録すること、若しくはデータを入力することを強制する。ワイアレス装置へ対話型スクリーンを提供でき、対話レコードを記憶できる独立したネットワーク・サーバの使用で、システムは、他のネットワーク・サーバのアプリケーション及びデータへのアクセスを制御する一方で、ワイアレス・ネットワークのバンド幅及びリソースを節約できる。そのようにして、本発明は、利点を提供する。その利点では、ネットワーク・サーバのオペレータに、ワイアレス装置のユーザが、ユーザを承諾する前に同意若しくは事実の検証を実行する能力、ワイアレス・ネットワーク及びネットワーク・サーバのバンド幅及びリソースの著しい使用なしにアプリケーション・ダウンロード若しくはネットワーク・サーバ上に常駐するアプリケーション及びデータをダウンロードする若しくはアクセスする能力を与える。
【００１４】
本発明のイグゼンプラリな実施形態
図面を参照して、図面では全体を通して同じ符号は同じエレメントを表す、図１は、アプリケーション・ダウンロード・サーバ１６のような、少なくとも１のネットワーク・サーバとワイアレス・ネットワーク１４を渡り通信している、セルラ電話機１２のような、１若しくはそれより多くのワイアレス装置へ申し込まれたソフトウェア・アプリケーションを提供するためのシステム１０の実施形態を図示する。ネットワーク・サーバは、選択的にダウンロードする、若しくはソフトウェア・アプリケーション又はワイアレス通信ポータル（wireless communication portal）を渡ってワイアレス装置への他のデータへのアクセスを、若しくはワイアレス・ネットワーク１４への他のデータ・アクセスを提供する。ここに示されたように、ワイアレス装置は、グラフィック画面１３を有するセルラ電話機１２、ＰＤＡスクリーン１９を有するパーソナル・ディジタル・アシスタンツ１８、グラフィック画面２１を有するページャ２０、これは双方向テキスト・ページャとしてここでは示される、若しくはワイアレス通信ポータル及び画面２３を有する独立したコンピュータ・プラットフォーム２２である可能性があり、それ以外は、ネットワーク若しくはインターネットへ有線接続を有することがある。システム１０は、ワイアレス通信ポータルを含み、制限なしに、ワイアレス・モデム、ＰＣＭＣＩＡカード、アクセス・ターミナル、パーソナル・コンピュータ、アクセス・ターミナル、画面若しくはキーパッドのない電話機、若しくはこれらの任意の組み合わせ若しくは副組み合わせを含む、任意の形式の遠隔コンピュータ・モジュール上で実行さることができる。
【００１５】
アプリケーション・ダウンロード・サーバ１６は、記憶されたアプリケーション及びデータを有するデータベース２８のような、ワイアレス・ネットワーク１４と通信している他のコンピュータ・エレメントを有するローカル・サーバ−サイド・ネットワーク上にここでは示される。記憶されたアプリケーション及びデータは、アクセス可能であり、ワイアレス装置１２，１８，２０，２２へダウンロード可能であるソフトウェア・アプリケーション及びデータを含む。第２のネットワーク・サーバも示されている。第２のネットワーク・サーバは、対話型スクリーン・サーバ３２であり、記憶された対話型データベース３０を有する。そのような実施形態では、対話型スクリーン・サーバ３２は、下記に説明されるようにワイアレス装置１２，１８，２０，２２へ対話型スクリーンを送信し、記憶された対話レコード・データベース３０は、対話型スクリーン・サーバ３２上に常駐することができ、そこに対話型スクリーンが提供されたワイアレス装置との対話のために、エンド−ユーザによるデータ入力のために、及びいずれかの他の対話関連データのために、個々のレコードを記憶する。独立した対話型スクリーン・サーバ３２及び記憶された対話レコード・データベース３０を経由して、アプリケーション・ダウンロード・サーバ１６のような、多くの他のネットワーク・サーバは、ネットワーク・サーバ・リソースの著しい使用なしにネットワーク・サーバ常駐アプリケーション及びデータへのアクセスを制御する対話型スクリーンを提供するシステム１０を有することができる。しかしながら、サーバ側の機能が、アプリケーション・ダウンロード・サーバ１６のような、１個のサーバ上で実行されることがあるので、対話型スクリーン・サーバ３２及び記憶された対話レコード・データベース３０は、必ずしも必要ない。さらに、コンピュータ・サーバ側コンピュータ・プラットフォームは、独立したサービスを提供でき、ワイアレス・ネットワーク１４を渡ってワイアレス装置１２，１８，２０，２２へ処理する。
【００１６】
図２は、ワイアレス・ネットワークのコンポーネント及びシステム１０のエレメントの相互関係をより完全に図示するブロック図である。ワイアレス・ネットワーク１４は、単に例示的であり、任意のシステムを含むことができ、それによってワイアレス装置１２，１８，２０，２２のような、遠隔モジュールが相互に及び互いの間で、及び／若しくはワイアレス・ネットワーク・キャリア及び／若しくはサーバを、制限なしに含み、同様に、非ワイアレス・ネットワーク単独を若しくはワイアレス・ネットワークとの組み合わせを含む、ワイアレス・ネットワーク１４のコンポーネントの間で及び相互に無線を介して通信する、任意のシステムを含むことができる。アプリケーション・ダウンロード・サーバ１６及び記憶されたアプリケーション・データベース２８、対話型スクリーン・サーバ３２、及び記憶された対話レコード・データベース３０は、任意の他のコンポーネントを有するセルラ・データ・ネットワーク上に存在する。任意の他のコンポーネントは、セルラ電気通信サービスを提供するために必要である。アプリケーション・ダウンロード・サーバ１６、対話型スクリーン・サーバ３２、及び／若しくは他のスクリーン・サーバは、インターネット、安全なＬＡＮ，ＷＡＮ若しくは他のネットワークのような、データ・リンクを経由して、キャリア・ネットワーク４０と通信する。キャリア・ネットワーク４０は、メッセージング・サービス・コントローラ（messaging service controller）（“ＭＳＣ”）４２へ送られた（一般にデータ・パケットである）メッセージを制御する。キャリア・ネットワーク４０は、ネットワーク、インターネット及び／若しくはＰＯＴＳ（“簡単な通常の電話システム（plain ordinary telephone system）”）によってＭＳＣ４２と通信する。一般的に、キャリア・ネットワーク４０とＭＳＣ４２との間のネットワーク若しくはインターネット接続は、データを送信し、そして、ＰＯＴＳは、音声情報を送信する。ＭＳＣ４２は、複数の基地局（base station）（“ＢＴＳ”）４４に接続される。キャリア・ネットワークへ同様な方法で、ＭＳＣ４２は、データ輸送のためにネットワーク及び／若しくはインターネット及び音声情報のためにＰＯＴＳの両者によってＢＴＳ４４へ、一般的に接続される。ＢＴＳ４４は、ショート・メッセージング・サービス（short messaging service）（“ＳＭＳ”）、若しくは、この分野で知られた他の無線を介した方法により、セルラ電話機１２のような、ワイアレス装置へ無線でメッセージを最終的に同報通信する。
【００１７】
セルラ電話機１２のような、ワイアレス装置は、ソフトウェア・アプリケーションを受信でき実行でき、そしてアプリケーション・ダウンロード・サーバ１６から送信されたデータを表示できるコンピュータ・プラットフォーム５０を有する。コンピュータ・プラットフォーム５０は、ワイアレス装置がネットワーク・サーバ上に常駐するデータ及びアプリケーションと対話することも可能にする。コンピュータ・プラットフォーム５０は、他のコンポーネントの中で、画面ドライバ５２を含むことができる。画面ドライバ５２は、グラフィック画面１３を駆動し、コンピュータ・プラットフォーム５０で受信されたグラフィック・データに基づいてグラフィック画面１３上に画像を表現する。コンピュータ・プラットフォーム５０は、特定用途集積回路（application-specific integrated circuit）（“ＡＳＩＣ”）５４、若しくは他のプロセッサ、マイクロプロセッサ、ロジック回路、若しくは他のデータ処理装置も含む。ＡＳＩＣ５２若しくは他のプロセッサは、アプリケーション・プログラミング・インターフェース（application programming interface）（“ＡＰＩ”）レイヤ５６を実行する。ＡＰＩ５６は、ワイアレス装置のメモリ５８中の任意の常駐プログラムとインターフェースする。メモリは、リード−オンリー若しくはランダム−アクセス・メモリ（ＲＡＭ及びＲＯＭ）、ＥＰＲＯＭ、ＥＥＰＲＯＭ、フラッシュ・カード、若しくはコンピュータ・プラットフォームに共通の任意のメモリからなる可能性がある。コンピュータ・プラットフォーム５０は、ローカル・データベース６０も含む。ローカル・データベース６０は、アプリケーション・ダウンロード・サーバ１６からダウンロードされたソフトウェア・アプリケーションのような、メモリ５８中のアクティブに使用されていないソフトウェア・アプリケーションを保有できる。ローカル・データベース６０は、一般的に、１若しくはそれより多くのフラッシュ・メモリ・セルからなるが、この分野で知られた任意の第２の若しくは第３の記憶装置、例えば、磁気媒体、ＥＰＲＯＭ、ＥＥＰＲＯＭ、光学的媒体、テープ、若しくはソフト若しくはハード・ディスク、である可能性がある。
【００１８】
セルラ電話機１２のような、ワイアレス装置は、ゲーム若しくは株式モニタのような、多くのタイプのアプリケーション、若しくはニュース及びスポーツに関係したデータのような単にデータをアクセスし、ダウンロードできる。ダウンロードされたデータは、画面上に直ちに表示される、若しくは使用されない場合にはローカル・データベース６０中に記憶されることができる。ソフトウェア・アプリケーションは、ワイアレス装置１２，１８，２０，２２上に常駐する通常のソフトウェア・アプリケーションのように扱われることができ、そして、ワイアレス装置のユーザは、ＡＰＩ５６上での実行のためにローカル・データベース６０からメモリ５８へ記憶された常駐アプリケーションを選択的にアップロードできる。ワイアレス装置１２，１８，２０，２２のエンド−ユーザは、ローカル・データベース６０からソフトウェア・アプリケーションを選択的に削除することもできる。
【００１９】
図３（ａ）及び（ｂ）に示されたように、システム１０は、ワイアレス・ネットワーク１４を渡ってアプリケーション・ダウンロード・サーバ１６のような、ネットワーク・サーバからデータをアクセスする若しくはダウンロードすることをワイアレス装置が試みると、セルラ電話機１２のようなワイアレス装置のグラフィック画面１３上に対話型スクリーン１５，１７を表示する。システム１０は、要求されたアプリケーション若しくはデータを含んでいるサーバから、若しくは対話型スクリーン・サーバ３２のような第２のサーバのいずれかから、ワイアレス装置のコンピュータ・プラットフォーム５０へ対話型スクリーンを送信する。対話型スクリーン１５，１７は、ネットワーク・サーバがダウンロードする若しくは要求されたデータ若しくはアプリケーションへのアクセスを許可する前に、グラフィック画面上にユーザに対して現れる。ネットワーク・サーバのオペレータは、そのようにして、対話型スクリーン１５，１７を使用することを通して、個々のアプリケーション及びデータへのワイアレス装置１２，１８，２０，２２のアクセスを制御できる。例として、図３（ａ）において、エンド−ユーザ免許合意書（ＥＵＬＡ）対話型スクリーンは、ユーザが、アプリケーション・ダウンロード・サーバ１６からソフトウェア・アプリケーションをダウンロードしようとする場合に、グラフィック画面１３上にエンド−ユーザに対して表示される。ユーザは、アプリケーションをダウンロードするためにＥＵＬＡについての合意を示さなければならず、そして、コンピュータ・プラットフォームのＡＰＩ５６上のＥＵＬＡと対話できる。典型的なＡＰＩは、この分野で知られているようにアイコンをアクティブにできる画面上の可動カーソルを提供する。そして、他のグラフィック−ユーザ・インターフェースは、タッチ・スクリーン及びＰＤＡインターフェースでは一般的であるスタイラスのように使用できる。ＥＵＬＡに応答してエンド−ユーザが何を入力しようとも、セルラ電話機１２から直接、若しくは対話型スクリーン・サーバ３２によって送られたユーザ対話を指示している信号から間接的に、のいずれかで、アプリケーション・ダウンロード・サーバ１６へ信号を送り返す。
【００２０】
対話型スクリーンのもう１つの例として、図３（ｂ）は、年令確認フォーム１７を図示する。年令確認フォーム１７は、ネットワーク・サーバ上の年令制限された題材へのアクセスを許可される前に、ユーザが自分の年令を入力することを必要とする。ユーザは、そのようにしてスクリーンに応答して自分の年令を入力し、セルラ電話機は、アプリケーション・ダウンロード・サーバ１６若しくは対話型スクリーン・サーバ３２のような、適切なネットワーク・サーバへ入力データを送信する。ある種の処理は、データが要求されたサーバにおいて若しくは対話型スクリーン・サーバ３２のいずれかにおいて生じることができ、入力された年令が基準を満足するかを決定する。対話型スクリーン・サーバ３２がデータを処理するのであれば、ワイアレス装置のアクセスを認可するために、要求されたデータ・サーバに肯定的な若しくは否定的な信号を送信できる。
【００２１】
対話型スクリーン１５，１７が、ワイアレス装置がアクセスしようと若しくはそこからデータをダウンロードしようと試みたネットワーク・サーバからワイアレス装置１２，１８，２０，２２へ送信されることができる間に、１つの実施形態は、アプリケーション・ダウンロード・サーバ１６のような単なるアプリケーション・サーバ上のリソースを節約するために、対話型スクリーン・サーバ３２及び関係する記憶された対話レコード・データベース３０のような、他の１つのネットワーク・サーバの使用を含む。そのようにして、ワイアレス装置１２，１８，２０，２２が、アプリケーション・ダウンロード・サーバ１６のような、ワイアレス・ネットワーク１４を渡って第１のネットワーク・サーバ上のデータ若しくはアプリケーションをダウンロード若しくはアクセスしよう試みると、対話型スクリーンは、ワイアレス・ネットワーク１４を渡って、対話型スクリーン・サーバ３２のような、第２のネットワーク・サーバからワイアレス装置１２，１８，２０，２２へ送信される。そのような実施形態では、一旦、ワイアレス装置１２，１８，２０，２２のユーザがワイアレス装置１２，１８，２０，２２のグラフィック画面１３，１９，２１，２３上に表示された対話型スクリーンと対話すると、ワイアレス装置は、第２のネットワーク・サーバ（対話型スクリーン・サーバ３２）への対話を指示する信号を送る。そして、第２のネットワーク・サーバは、第１のネットワーク・サーバ（アプリケーション・ダウンロード・サーバ１６）へワイアレス装置において対話を指示している信号を送る。その結果、第１のネットワーク・サーバは、今や、ワイアレス装置１２，１８，２０，２２のコンピュータ・プラットフォーム５０へ要求されたデータ若しくはアプリケーションのアクセス若しくはダウンロードを提供することを許可される。対話型スクリーンが、図３（ｂ）の確認フォーム１７のような、データの入力を必要とするのであれば、一旦、ワイアレス装置１２，１８，２０，２２のエンド−ユーザが、対話型スクリーン上にデータを入力すると、ワイアレス装置１２，１８，２０，２２は、第２のネットワーク・サーバ（対話型スクリーン・サーバ３２）へ入力データを送信する。第２のネットワーク・サーバは、第１のネットワーク・サーバ（アプリケーション・ダウンロード・サーバ３２）へワイアレス装置１２，１８，２０，２２におけるデータの入力を指示している信号を再び送り、第１のネットワーク・サーバは、要求されたデータ若しくはアプリケーションをアクセス若しくはダウンロードすることを提供できる。第２のネットワーク・サーバとしての対話型スクリーン・サーバ３２の使用は、アプリケーション・ダウンロード・サーバ１６のような、１個のネットワーク・サーバ上で生じる全ての機能性を用いて可能であるものよりも、特に記憶された対話レコード・データベース３０を用いて、対話型スクリーン及び対話レコードの記憶のより早い準備を可能にする。システム１０速度の向上は、ワイアレス・ネットワーク１４を渡るデータ転送時間の減少に転換され、これは、ワイアレス・ネットワーク１４の費用のかかるバンド幅を節約する。
【００２２】
対話型スクリーンは、ワイアレス装置−ネットワーク・サーバ対話の間に任意の間隔でワイアレス装置１２，１８，２０，２２へ提供されることができる。システム１０は、ワイアレス装置へ対話型スクリーンを送信でき、ネットワーク・サーバ上の特定のアプリケーション、データセット、若しくはファイル・レベル（データは、ウィンドウズ(登録商標)、ＵＮＩＸ(登録商標)、及びＬＩＮＵＸのようなファイル構造でネットワーク・サーバ上に保有される可能性がある）にさえ、アクセスを阻止する。さらに、対話型スクリーンの送信は、アプリケーション若しくはデータがワイアレス装置によってアクセスされ若しくはダウンロードされようとしている時にはいつでも生じることができる。若しくは１回だけのＥＵＬＡが必要であるならば、ＥＵＬＡのワイアレス装置１２，１８，２０，２２実行のレコードは、例えば、記憶された対話レコード・データベース３０に、記憶されることがある。ワイアレス装置がアプリケーション若しくはデータをダウンロードしようとしている場合に、そしてワイアレス装置が記憶されたＥＵＬＡを有するのであれば、対話型スクリーン準備は不必要であり、システム１０はダウンロードを進めさせることができる場合に、比較は、対話型スクリーン・サーバ３２のような、ネットワーク・サーバにより行われる。
【００２３】
あるイグゼンプラリな実施形態では、ワイアレス装置１２，１８，２０，２２のコンピュータ・プラットフォーム５０上で実行されたプロセスは、図４のフローチャートに示される。セルラ電話機１２のような、ワイアレス装置は、ステップ７２で示されたように、セルラ・ネットワークのような、ワイアレス・ネットワーク１４への接続をブリッジし、ステップ７２で示されたように、アプリケーション・ダウンロード・サーバ１６のような、ネットワーク・サーバに接続する。アプリケーション・ダウンロード・サーバ１６へ接続される間の、ある点において、ワイアレス装置は、ステップ７４で示されたように、アプリケーションをダウンロードすることを要求する、若しくは、そうでなければ、アクセスが制限されているデータをアクセスしようとする。そのようにして、ステップ７４で要求がなされた後で、判断５０によって示されたように、対話型スクリーン１５，１７がワイアレス装置のコンピュータ・プラットフォーム５０において受信されているかどうかに関して、判断がなされる。対話型スクリーン１５，１７が受信されなかったのであれば、プロセスは、要求されたアプリケーションが判断８４において受信されているかを決定するために進む。あるいは、対話型スクリーン１５，１７が判断７６において受信されているのであれば、対話型スクリーン１５，１７は、ステップ７８で示されたように、ワイアレス装置１２，１８，２０，２２のグラフィック画面１３，１９，２１，２３上に表示される。
【００２４】
対話型スクリーン１５，１７が表示された後で、判断は、判断８０で示されたように、ユーザが対話型スクリーン１５，１７と対話をしたかどうかに関してなされる、若しくは、言い換えると、ワイアレス装置は、ユーザが対話型スクリーン１５，１７と対話をするまで待機する。そのように、アプリケーション・ダウンロード・サーバ１６若しくは対話型スクリーン・サーバ３２のような、対話型スクリーンを送信しているネットワーク・サーバへ信号及び／若しくはデータを送り返すことができる。ユーザが、判断８０において対話型スクリーン１５，１７と対話をしていないのであれば、プロセスは、ユーザが対話型スクリーン１５，１７と対話をするまで待機状態で判断８０に再び入る。判断８０においてユーザが対話型スクリーン１５，１７と対話をしたのであれば、対話データ若しくは信号は、ステップ８２で示されたように、ワイアレス装置１２，１８，２０，２２から適切なネットワーク・サーバへ送信される。
【００２５】
判断は、それから、要求アプリケーションが、判断８４において示されたように、ワイアレス装置１２，１８，２０，２２のコンピュータ・プラットフォーム５０において受信されたか（すなわち、要求されたアクセスが認可されたか）どうかに関してなされる。アプリケーションが判断８４において受信されていない（すなわち、アクセスが認可されていない）のであれば、プロセスは、ダウンロード（すなわち、アクセス）が不成功であるとして終結される。アプリケーションが判断８４において良好に受信されたのであれば、ステップ８６で示されたように、アプリケーションは、ワイアレス装置１２，１８，２０，２２においてインストールされる。要求がネットワーク・サーバ上のデータ若しくはアプリケーションへのアクセスに対してであるのであれば、ワイアレス装置１２，１８，２０，２２は、データ若しくはアプリケーションへのアクセスを得る。
【００２６】
図５を参照して、アプリケーション・ダウンロード・サーバ１６（若しくは他のタイプのネットワーク・サーバ）上で実行されているプロセスのあるイグゼンプラリな実施形態が、フローチャートに示される。ステップ９０で示されたように、ワイアレス装置１２，１８，２０，２２との接続が、申し込まれる。ある時点で、ステップ９２で示されたように、アプリケーション・ダウンロード・サーバ１６は、アプリケーションをダウンロードする若しくは常駐データをアクセスするために、ワイアレス装置１２，１８，２０，２２から要求を受信する。一旦、要求がアプリケーション・ダウンロード・サーバ１６において受信されると、判断９４において示されたように、ワイアレス装置ユーザとの対話が要求されるかを、決定する。判断は、ネットワーク・サーバのオペレータが選択する任意の基準、例えば、所有者若しくはワイアレス装置、アクセスされた若しくはダウンロードされた要求されたアプリケーション若しくはデータの主題の性質、に基づいてなされることができる。ワイアレス装置ユーザとの対話が判断９４において必要ないのであれば、ステップ１０２で示されたように、要求されたアプリケーションは、ワイアレス装置１２，１８，２０，２２へダウンロードされる。対話が、判断９４において必要であるならば、対話型スクリーン１５，１７は、要求されたダウンロード（若しくは、アクセス）が許可される前に、ユーザが対話型スクリーン１５，１７と対話することを必要とさせるワイアレス装置１２，１８，２０，２２へ送信される。
【００２７】
判断９８において示されたように、決定は、ワイアレス装置ユーザが対話型スクリーン１５，１７と適切に対話したかどうか、例えば、肯定的にＥＵＬＡを申し込む（図３（ａ））若しくは正確な年令を入力する（図３（ｂ））、に関して行なわれる。対話信号若しくはデータは、アプリケーションを要求し、そして対話型スクリーン１５，１７を表示しているワイアレス装置１２，１８，２０，２２から直接送られた、若しくはワイアレス装置から対話信号若しくはデータを初めに受信した対話型スクリーン・サーバ３２のような、第２のネットワーク・サーバから送られた信号若しくはデータである、のいずれかである可能性がある。ワイアレス装置ユーザが、判断９８において、ワイアレス装置１２，１８，２０，２２において対話型スクリーン１５，１７と適切に対話しないのであれば、ワイアレス装置１２，１８，２０，２２へのアプリケーションをダウンロードすることへの拒絶の通知（すなわち、アクセスの拒絶）は、ステップ１００で示されたように、要求しているワイアレス装置へ返信される。ワイアレス装置ユーザが、判断９８で、ワイアレス装置１２，１８，２０，２２において対話型スクリーン１５，１７と適切に対話するのであれば、要求されたアプリケーションは、ステップ１０２で示されたように、ワイアレス装置へダウンロードされる（すなわち、要求されたアプリケーションへのアクセスが承認される）。
【００２８】
システム１０は、そのようにして、ワイアレス・ネットワーク１４を渡って、アプリケーション・ダウンロード・サーバ１６のような、ネットワーク・サーバ上のデータをダウンロード若しくはアクセスしようと試みること、要求されたデータ若しくはアプリケーションをダウンロードする若しくはアクセスすることに先立って、ワイアレス・ネットワーク１４を渡ってワイアレス装置１２，１８，２０，２２のコンピュータ・プラットフォーム５０へ対話型スクリーン１５，１７を送信すること、及びワイアレス装置１２，１８，２０，２２のグラフィック画面１３，１９，２１，２３上に対話型スクリーン１５，１７を表示すること、を含むユーザ対話型ワイアレス装置１２，１８，２０，２２のグラフィック画面１３，１９，２１，２３上に対話型スクリーン１５，１７を表示するための方法を提供する。その方法は、ワイアレス装置１２，１８，２０，２２において対話型スクリーン１５，１７と対話すること、ワイアレス装置１２，１８，２０，２２からネットワーク・サーバ（アプリケーション・ダウンロード・サーバ１６若しくは対話型スクリーン・サーバ３２）へ対話を指示している信号を送ること、及びワイアレス装置１２，１８，２０，２２のコンピュータ・プラットフォーム５０を用いてネットワーク・サーバにおいて要求されたデータ若しくはアプリケーションをダウンロードすること若しくはアクセスすること、も含むことができる。対話型スクリーン１５，１７がデータのワイアレス装置ユーザ入力を可能にするのであれば、その方法は、さらに、ワイアレス装置１２，１８，２０，２２のグラフィック画面１３，１９，２１，２３上に表示された対話型スクリーン１５，１７上にデータを入力すること、ワイアレス装置１２，１８，２０，２２からネットワーク・サーバへ入力されたデータを送ること、ネットワーク・サーバにおいて入力データを処理すること、及びネットワーク・サーバにおいて要求されたデータ若しくはアプリケーションを選択的にダウンロードすること若しくはアクセスを認可すること、のステップを具備する。
【００２９】
ワイアレス・ネットワーク１４を渡ってワイアレス装置１２，１８，２０，２２へ対話型スクリーン１５，１７を送信することは、アプリケーション若しくはデータをダウンロードする若しくはアクセスすることを要求された（アプリケーション・ダウンロード・サーバ１６のような）ワイアレス装置である第１のネットワーク・サーバからワイアレス装置１２，１８，２０，２２へ対話型スクリーン１５，１７を送信することを含むことができる、若しくは、ワイアレス・ネットワーク１４を渡って（対話型スクリーン・サーバ３２のような）第２のネットワーク・サーバから対話型スクリーン１５，１７を送信することができる。対話型スクリーン・サーバ３２がワイアレス装置へ対話型スクリーン１５，１７を提供するために使用されるのであれば、方法は、ワイアレス装置のグラフィック画面１３，１９，２１，２３上に表示された対話型スクリーン１５，１７と対話をすること、第２のネットワーク・サーバへワイアレス装置から対話を指示している信号を送ること、（対話型スクリーン・サーバ３２のような）第２のネットワーク・サーバから（アプリケーション・ダウンロード・サーバ１６のような）第１のネットワーク・サーバへワイアレス装置１２，１８，２０，２２における対話を指示している信号を送ること、及びワイアレス装置１２，１８，２０，２２のコンピュータ・プラットフォーム５０へ第１のネットワーク・サーバに常駐する要求されたデータ若しくはアプリケーションをダウンロードすること若しくはアクセスすること、のステップを含むことができる。そして、対話型スクリーン１５，１７がワイアレス装置１２，１８，２０，２２においてデータのワイアレス装置ユーザ入力を可能にするのであれば、方法は、さらに、ワイアレス装置１２，１８，２０，２２のグラフィック画面１３，１９，２１，２３上に表示された（図３（ｂ）の確認フォームのような）対話型スクリーン上にデータを入力すること、ワイアレス装置から（対話型スクリーン・サーバ３２のような）第２のネットワーク・サーバへ入力データを送信すること、第２のネットワーク・サーバから（アプリケーション・ダウンロード・サーバ１６のような）第１のネットワーク・サーバへワイアレス装置１２，１８，２０，２２におけるデータの入力を指示している信号を送ること、及びワイアレス装置１２，１８，２０，２２のコンピュータ・プラットフォーム５０へネットワーク・サーバにおいて要求されたデータ若しくはアプリケーションをダウンロードすること若しくはアクセスすること、を含むことができる。
【００３０】
本発明は、さらに、コンピュータ・プラットフォーム５０及びその上のグラフィック画面１３，１９，２１，２３を含んでいるワイアレス装置１２，１８，２０，２２を含む。ここで、ワイアレス装置は、ワイアレス装置１２，１８，２０，２２へデータ及びアプリケーションを選択的にダウンロードする各ネットワーク・サーバを用いて、ワイアレス・ネットワーク１４を渡って１若しくはそれより多くのネットワーク・サーバへ選択的に通信する。ワイアレス装置１２，１８，２０，２２がワイアレス・ネットワーク１４を渡ってネットワーク・サーバ上のデータをダウンロードすること若しくはアクセスすることを試みると、ワイアレス装置のコンピュータ・プラットフォーム５０は、ワイアレス・ネットワーク１４を渡って送信された対話型スクリーン１５，１７を受信し、ワイアレス装置１２，１８，２０，２２は、そのグラフィック画面１３，１９，２１，２３上に送信された対話型スクリーン１５，１７を表示する。対話型スクリーン１５，１７が、ワイアレス装置１２，１８，２０，２２においてユーザがデータを入力することを可能にするのであれば、ワイアレス装置は、それから、ワイアレス装置１２，１８，２０，２２のグラフィック画面１３，１９，２１，２３上に表示された対話型スクリーン１５，１７上へユーザがデータを入力することを可能にし、ワイアレス装置は、（アプリケーション・ダウンロード・サーバ１６及び対話型スクリーン・サーバ３２のような）適切なネットワーク・サーバへ入力されたデータを送る。
【００３１】
他の実施形態は、コンピュータ読み取り可能な媒体中に常駐するプログラムを含む。ここで、プログラムは、コンピュータ・プラットフォームを有するワイアレス装置を管理して、この方法の発明的なステップを実施する。コンピュータ読み取り可能な媒体は、セルラ電話機１２のコンピュータ・プラットフォーム５０若しくは他のワイアレス装置のメモリ５８である可能性があり、若しくはセルラ電話機１２のローカル・データベース６０のような、ローカル・データベース中にある可能性がある。さらに、コンピュータ読み取り可能な媒体は、ワイアレス装置コンピュータ・プラットフォーム上へロード可能な副記憶媒体、例えば、磁気ディスク若しくはテープ、光ディスク、ハード・ディスク、フラッシュ・メモリ、若しくはこの分野で知られたような他の記憶媒体中にある可能性がある。
【００３２】
図４及び５の文脈では、方法は、例えば、ワイアレス・ネットワーク１４の（複数の）オペレーション部分によって実行されることがあり、ワイアレス・プラットフォーム５０、アプリケーション・ダウンロード・サーバ１６、及び対話型スクリーン・サーバ３２のように、機械読み取り可能な命令のシーケンスを実行する。命令は、種々のタイプの信号を含んでいる若しくはデータ記憶主、副、若しくは第３の媒体中に常駐できる。媒体は、例えば、ワイアレス・ネットワーク１４のコンポーネントによって、若しくはその中に常駐する、アクセス可能なＲＡＭ（図示されず）を具備することがある。ＲＡＭ、ディスケット、若しくは他の副記憶媒体中に含まれるかどうかに拘らず、命令は、種々の機械読み取り可能なデータ記憶媒体、例えば、ＤＡＳＤストレージ（例えば、従来の“ハード・ドライブ”若しくはＲＡＩＤアレイ）、磁気テープ、電子的リード−オンリー・メモリ（例えば、ＲＯＭ，ＥＯＲＯＭ，若しくはＥＥＰＲＯＭ）、フラッシュ・メモリ・カード、光学的記憶装置（例えば、ＣＤ−ＲＯＭ、ＷＯＲＭ、ＤＶＤ、ディジタル光学テープ）、紙パンチ・カード、若しくは、ディジタル及びアナログ送信媒体を含む適切なデータ記憶媒体上に、記憶されることがある。
【００３３】
これまでの開示は、発明の例証となる実施形態を示すが、添付された特許請求の範囲により規定されたように、発明の範囲から逸脱しないで種々の変更及び修正がなされることがあることに、注意すべきである。さらに、発明のエレメントは、単数で説明され若しくは主張されるけれども、単数が厳密に述べられていることの制限がなければ、複数形が、予想される。
【図面の簡単な説明】
【００３４】
【図１】図１は、ワイアレス・ネットワーク並びにワイアレス装置に対話型スクリーンを提供するためにシステム内部で使用されることができるコンピュータ・ハードウェア及びワイアレス装置の代表的な図である。
【図２】図２は、異なるワイアレス装置、アプリケーション・ダウンロード・サーバ、独立した対話型スクリーン・サーバ、及びそれらのそれぞれのデータベース間の通信を提供するワイアレス・ネットワークのハードウェア・コンポーネントのブロック図である。
【図３】図３（ａ）は、ユーザがアプリケーションをダウンロードしようとすることで、ユーザへＥＵＬＡを表示しているセルラ電話機のグラフィック画面の透視図であり、図３（ｂ）は、エンド−ユーザが年令制限されたアプリケーションをダウンロードしようとすることで、ユーザに対する年令確認を表示しているセルラ電話機のグラフィック画面の透視図であり、ユーザは、フォーム上に自分の年令を入力することを要求されている。
【図４】図４は、ネットワーク・サーバからアプリケーションをダウンロードすることを試みることをワイアレス装置コンピュータ・プラットフォーム上で実行すること、ユーザへの対話型スクリーンを受信し、表示すること、ネットワーク・サーバへ対話データを送信すること、及びアプリケーションをダウンロードすることのプロセスを図説するフローチャートである。
【図５】図５は、図４のワイアレス装置からのダウンロード要求を受信しているアプリケーション・ダウンロード・サーバ上で実行し、ワイアレス装置へ対話型スクリーンを送信し、ワイアレス装置が要求されたアプリケーションをダウンロードすることを許可する前に、対話型スクリーンとユーザが適切に対話することを待機するプロセスを図説するフローチャートである。
【符号の説明】
【００３５】
１０…システム，１２…セルラ電話機，１３，２１，２３…グラフィック画面，１６…アプリケーション・ダウンロード・サーバ，１８…パーソナル・ディジタル・アシスタンツ，１９…ＰＤＡスクリーン，２０…ページャ，２２，５０…コンピュータ・プラットフォーム，２４…有線コンポーネント，３２…対話型スクリーン。
【図１】
2005539297.tif 000003
【図２】
2005539297.tif 000004
【図３】
2005539297.tif 000005
【図４】
2005539297.tif 000006
【図５】
2005539297.tif 000007
【国際調査報告】
2005539297.tif 000008
2005539297.tif 000009